(57)【要約】【課題】利用者の利便性を損なうことなく駆動源の消費電力を必要最小限にすること。【解決手段】原稿台ガラス２１２に対して撮像素子と同じ側に設けられた反射用光源と、原稿台ガラス２１２に対して撮像素子とは反対側に設けられた透過用光源と、を備えるスキャナ装置１００において、保護マット２３２は、透過用光源から原稿台ガラス２１２に入射する光を遮る第１の位置と、第１の位置とは異なる第２の位置とに変位自在に設けられる。連結機構３０９は、透過用光源を移動させる光源移動機構と、撮像素子を移動させる撮像素子移動機構と、を単一のモータ２２２によって連動可能に連結する。遮断部材２３２ａは、保護マット２３２に対して、保護マット２３２が第１の位置にある場合に連結機構３０９による連結を遮断するように設けられる。【選択図】図１０
2007318410.tif 000002
【特許請求の範囲】
【請求項１】
原稿台に対して撮像素子と同じ側に設けられた第１の光源と、前記原稿台に対して前記
撮像素子とは反対側に設けられた第２の光源とを備える画像読取装置において、
前記第２の光源から前記原稿台に入射する光を遮る第１の位置と、前記第１の位置とは
異なる第２の位置とに変位自在に設けられる遮光部材と、
前記第２の光源を移動させる光源移動機構と、前記撮像素子を移動させる撮像素子移動
機構とを単一の駆動源によって連動可能に連結する連結機構と、
前記遮光部材に対して、前記遮光部材が前記第１の位置に設けられている場合に前記連
結機構による連結を遮断するように設けられた遮断部材と、
を備えることを特徴とする画像読取装置。
【請求項２】
前記原稿台を介して前記撮像素子に入射する外光を遮る形状であって前記原稿台に対し
て接離自在なカバー部材をさらに備え、
前記遮光部材は、前記カバー部材に着脱自在に設けられたことを特徴とする請求項１に
記載の画像読取装置。
【請求項３】
前記遮断部材は、前記遮光部材に対して、前記遮光部材が前記カバー部材に取り付けら
れている場合に前記連結機構による連結を遮断する位置に設けられたことを特徴とする請
求項２に記載の画像読取装置。
【請求項４】
前記遮断部材は、前記遮光部材が前記カバー部材に取り付けられた場合に、前記連結機
構のうち前記カバー部材から突出した部分を前記カバー部材内に押し込む形状であること
を特徴とする請求項２または３に記載の画像読取装置。
【請求項５】
前記遮光部材は、前記原稿台に対して原稿を押さえ付ける形状であることを特徴とする
請求項１〜４のいずれか一つに記載の画像読取装置。
【請求項６】
前記第２の光源は、前記カバー部材に設けられることを特徴とする請求項１〜５のいず
れか一つに記載の画像読取装置。
【請求項７】
前記第２の光源は、ＬＥＤによって構成されていることを特徴とする請求項１〜６のい
ずれか一つに記載の画像読取装置。
【請求項８】
請求項１〜７のいずれか一つに記載の画像読取装置と、
前記画像読取装置が備える撮像素子に入射された光の強弱に応じた画像を記録媒体上に
形成する画像形成装置と、
を備えることを特徴とする複合機。
【発明の詳細な説明】
【技術分野】
【０００１】
この発明は、画像読取装置および複合機に関する。
【背景技術】
【０００２】
従来、原稿を保持する原稿台に対して撮像素子と同じ側に設けられた反射用光源から光
を照射し、原稿によって反射された光を読み取る反射型の読取機構に加えて、原稿台に対
して撮像素子とは反対側に設けられた透過用光源から光を照射し、原稿を透過した光を読
み取る透過型の読み取り機構を備える画像読取装置がある。このような画像読取装置にお
いて、光源と撮像素子とを走査方向に同時に移動させながら原稿画像を読み取る画像装置
がある（たとえば、下記特許文献１参照。）。
【０００３】
【特許文献１】特開平１０−５１５９６号公報
【発明の開示】
【発明が解決しようとする課題】
【０００４】
しかしながら、上述した特許文献１の技術において、透過型原稿を読み取る際、原稿台
を間にして対向配置された撮像素子および透過用光源をそれぞれ独立した駆動源からの駆
動力を用いて移動させる場合、２つの駆動源が必要になるために画像読取装置が大型化し
、画像読取装置における消費電力が増大するという問題がある。
【０００５】
これに対して、撮像素子および透過用光源を移動させる移動機構を連結することで、１
つの駆動源によって撮像素子と光源とを連動させることが考えられる。しかしながら、こ
の場合、反射型原稿を読み取る際には使用されない透過用光源が、撮像素子の移動に連動
して常時移動するため、駆動源に不必要に大きな負荷がかかり、不必要に多くの電力を消
費するという問題がある。
【０００６】
この対策として、読み取り対象とする原稿の種類に応じて連動のＯＮ／ＯＦＦを切り替
える操作を利用者におこなわせることも考えられるが、このような操作は利用者にとって
煩わしく、また、利用者の操作ミスによる誤動作の可能性があるという問題がある。
【課題を解決するための手段】
【０００７】
この発明にかかる画像読取装置は、原稿台に対して撮像素子と同じ側に設けられた第１
の光源と、前記原稿台に対して前記撮像素子とは反対側に設けられた第２の光源とを備え
る画像読取装置において、前記第２の光源から前記原稿台に入射する光を遮る第１の位置
と、前記第１の位置とは異なる第２の位置とに変位自在に設けられる遮光部材と、前記第
２の光源を移動させる光源移動機構と、前記撮像素子を移動させる撮像素子移動機構とを
単一の駆動源によって連動可能に連結する連結機構と、前記遮光部材に対して、前記遮光
部材が前記第１の位置に設けられている場合に前記連結機構による連結を遮断するように
設けられた遮断部材と、を備えることを特徴とする。
【０００８】
したがって、この発明によれば、光源移動機構と撮像素子移動機構のそれぞれに駆動源
を設ける場合と比べて、画像読取装置の小型化が可能となる。さらに、光源移動機構への
駆動力の伝達を遮断するための利用者による特別な操作を介することなく、遮光部材を第
１の位置に設けることで連結機構による連結が遮断される。このため、利用者の利便性を
損なうことなく駆動源の消費電力を必要最小限にすることができる。
【０００９】
また、この発明にかかる画像読取装置は、前記原稿台を介して前記撮像素子に入射する
外光を遮る形状であって前記原稿台に対して接離自在なカバー部材をさらに備え、前記遮
光部材は、前記カバー部材に着脱自在に設けられたことを特徴とする。
【００１０】
したがって、遮光部材がカバー部材に着脱自在に設けられているため、複数の反射型原
稿を連続して読み取る際に、遮光部材をカバー部材に取り付けたままカバー部材を接離さ
せるだけで原稿を取り替えることができるとともに、画像読取装置の小型化を図りつつ、
利用者の利便性を損なうことなく駆動源の消費電力を必要最小限にすることができる。
【００１１】
また、前記遮断部材は、前記遮光部材に対して、前記遮光部材が前記カバー部材に取り
付けられている場合に前記連結機構による連結を遮断する位置に設けられたことを特徴と
する。
【００１２】
したがって、本発明にかかる画像読取装置によれば、遮光部材をカバー部材に取り付け
るだけで、連結機構による連結を遮断する位置に遮断部材を位置決めすることができる。
このため、利用者は遮断部材の位置を特に意識せずに遮光部材をカバー部材に取り付ける
だけで、画像読取装置の小型化を図りつつ駆動源の消費電力を必要最小限に抑えることが
できる。
【００１３】
また、前記遮断部材は、前記遮光部材が前記カバー部材に取り付けられた場合に、前記
連結機構のうち前記カバー部材から突出した部分を前記カバー部材内に押し込む形状であ
ることを特徴とする。
【００１４】
したがって、本発明によれば、画像読取装置の小型化を図りつつ、利用者の利便性を損
なうことなく駆動源の消費電力を必要最小限にするとともに、連結機構のうちカバー部材
から突出した部分によって反射型原稿を傷めることなく当該反射型原稿を読み取ることが
できる。
【００１５】
また、前記遮光部材は、前記原稿台に対して原稿を押さえ付ける形状であることを特徴
とする。
【００１６】
したがって、本発明によれば、遮光部材によって原稿を押さえ付けることで原稿台に対
する原稿の位置を固定することができるとともに、画像読取装置の小型化を図りつつ、利
用者の利便性を損なうことなく駆動源の消費電力を必要最小限にすることができる。
【００１７】
また、前記第２の光源は、前記カバー部材に設けられることを特徴とする。
【００１８】
したがって、第２の光源がカバー部材に設けられているため、原稿台をカバー部材で覆
う動作のみで第２の光源を適切な位置に配置することができるとともに、画像読取装置の
小型化を図りつつ、利用者の利便性を損なうことなく駆動源の消費電力を必要最小限にす
ることができる。
【００１９】
また、前記第２の光源は、ＬＥＤによって構成されていることを特徴とする。
【００２０】
したがって、蛍光灯を用いる場合と比べて速やかに点灯可能であり、原稿の読み取りを
迅速に開始することができるとともに、画像読取装置の小型化を図りつつ、利用者の利便
性を損なうことなく駆動源の消費電力を必要最小限にすることができる。
【００２１】
また、この発明にかかる複合機は、上述した画像読取装置と、前記画像読取装置が備え
る撮像素子に入射された光の強弱に応じた画像を記録媒体上に形成する画像形成装置と、
を備えることを特徴とする。
【００２２】
したがって、複合機における画像読取機構の小型化を図りつつ、利用者の利便性を損な
うことなく駆動源の消費電力を必要最小限にすることができる。
【発明を実施するための最良の形態】
【００２３】
（実施の形態１）
以下に添付図面を参照して、この発明にかかる画像読取装置の好適な実施の形態１を詳
細に説明する。この実施の形態１は、この発明にかかる画像読取装置を実現するスキャナ
装置への適用例を示す。
【００２４】
図１は、実施の形態１にかかるスキャナ装置１００の外観を示す斜視図である。はじめ
に、実施の形態１にかかるスキャナ装置１００の外観について説明する。図１に示すよう
に、スキャナ装置１００は、本体ユニット１１０と、カバー部材としての透過型原稿用光
源ユニット（以下、「ＴＰＵユニット」という）１２０と、を備えている。
【００２５】
ＴＰＵユニット１２０は、本体ユニット１１０に対して対向配置されており、ヒンジ部
（図３参照）を介して、本体ユニット１１０に連結されている。ＴＰＵユニット１２０は
、ヒンジ部を支点にして、図１に示す状態から本体ユニット１１０に対して離反する方向
に回転可能に連結されている（図７、図８参照）。
【００２６】
図２は、実施の形態１にかかるスキャナ装置１００の縦断正面図である。つぎに、実施
の形態１のスキャナ装置１００の概略構成について説明する。図２に示すように、スキャ
ナ装置１００は、本体ユニット１１０の外郭をなす本体ハウジング２１０と、ＴＰＵユニ
ット１２０の外郭をなすＴＰＵハウジング２３０と、を備えている。
【００２７】
はじめに、本体ユニット１１０の概略構成について説明する。本体ユニット１１０にお
ける本体ハウジング２１０は、ＴＰＵハウジング２３０に向かって開口する開口部２１１
を備えている。開口部２１１には、開口部２１１を閉塞するように原稿台ガラス２１２が
設けられている。
【００２８】
本体ハウジング２１０および原稿台ガラス２１２によって形成される空間２１３には、
原稿台ガラス２１２に置かれた原稿を光学的に読み取るための光学部材２１４が設けられ
ている。光学部材２１４は、原稿台ガラス２１２に向けて光を照射する反射用光源２１５
、反射用光源２１５から照射され原稿において反射された光を所定の経路に導く複数のミ
ラー２１６、ミラー２１６によって導かれた光を受光する撮像素子２１７、ミラー２１６
によって導かれた光を撮像素子２１７に結像させるレンズ２１８などから構成されている
。
【００２９】
撮像素子２１７としては、たとえば、受光面に結像された映像を光電変換して、素子ご
との受光量に応じた電気信号を出力するフォトダイオードを用いることが可能である。ス
キャナ装置１００においては、前述のフォトダイオードが走査回路基板２１９上で主走査
方向に沿って直進的に配列されてなるリニアイメージセンサが、撮像素子２１７として用
いられている。
【００３０】
また、空間２１３には、スキャナキャリッジ２２０が設けられている。スキャナキャリ
ッジ２２０は、原稿台ガラス２１２と平行であって、かつ、副走査方向に延出するキャリ
ッジガイド２２１に沿って摺動自在に設けられている。
【００３１】
スキャナキャリッジ２２０には、モータ２２２に連結された撮像素子移動機構２２３を
介して、動力源としてのモータ２２２で発生させた駆動力が伝達される。詳細は後述する
が、撮像素子移動機構２２３は、モータ２２２の駆動軸に連結されたギア列や、ギア列を
構成するギアと従動ギア２２４との間に架けられた駆動ベルト２２５などによって連結さ
れている（図３参照）。スキャナキャリッジ２２０は、駆動ベルト２２５に連結されてい
る。
【００３２】
スキャナキャリッジ２２０は、モータ２２２で発生させた駆動力が撮影素子移動機構２
２３を介して伝達されることによって、原稿台ガラス２１２に沿って副走査方向に移動す
る。上述した光学部材２１４は、スキャナキャリッジ２２０に搭載されている。光学部材
２１４は、スキャナキャリッジ２２０の移動にともなって、原稿台ガラス２１２に沿って
副走査方向に移動する。
【００３３】
つぎに、ＴＰＵユニット１２０について説明する。ＴＰＵユニット１２０は、原稿を照
射可能な位置に光源としての透過用光源部（図３参照）を設けるとともに、後述の透過型
原稿を読み取る際に原稿台ガラス２１２に対して入射する外光を遮る遮光部材、および原
稿を原稿台ガラス２１２に対して押さえ付ける原稿押さえ部材としての役割を果たす。ま
た、ＴＰＵユニット１２０は、後述する保護マットを取り付けることで保護マットおよび
後述する遮断部材の位置を決める位置決め部材の役割も果たす。
【００３４】
ＴＰＵユニット１２０の概略構成について説明する。ＴＰＵユニット１２０におけるＴ
ＰＵハウジング２３０には、本体ハウジング２１０に対向する側に、本体ハウジング２１
０に向かって開口する開口部２３１が設けられている。
【００３５】
ＴＰＵハウジング２３０には、光源としての透過用光源部（図３参照）が設けられてい
る。透過用光源部は、写真用フィルムなどのような光透過型の原稿（以下、「透過型原稿
」という）の読み取り動作に際して使用され、原稿台ガラス２１２に向けて光を照射する
。透過用光源部は、原稿台ガラス２１２に沿って副走査方向に移動可能に設けられている
。
【００３６】
ＴＰＵハウジング２３０には、上述したモータ２２２の駆動力を透過用光源部に伝達す
る動力伝達機構（図３参照）が設けられている。詳細な図示および説明を省略するが、Ｔ
ＰＵユニット１２０に設けられた動力伝達機構は、たとえば、撮像素子移動機構２２３に
連結されたプーリ群や駆動ベルト２３３および駆動ベルト２３３が架けられたギア対など
によって構成されている（一部図３参照）。
【００３７】
透過型原稿の読み取り動作に際しては、原稿台ガラス２１２の上、すなわち、本体ユニ
ット１１０とＴＰＵユニット１２０の間にフィルムフォルダ２４０が設置される。フィル
ムフォルダ２４０は、原稿台ガラス２１２上におけるフィルム用の読取位置にフィルムが
設置されるように、フィルムの設置位置を案内するとともに、設置されたフィルムを読取
位置に固定する部材である。
【００３８】
紙などのような光反射型の原稿（以下、「反射型原稿」という）の読み取り動作に際し
ては、遮光部材として、ＴＰＵハウジング２３０の開口部２３１全体を覆う形状の保護マ
ット２３２が着脱自在に設けられる。
【００３９】
保護マット２３２は、不透明な材質で形成されており、原稿を原稿台ガラス２１２に対
して押さえ付けるとともに、反射用光源２１５以外の光源（透過用光源部や外光）から原
稿に対して照射される光を遮る。これによって、反射用光源２１５から原稿に対して照射
された光を効率的にミラー２１６へ反射させることができる。
【００４０】
保護マット２３２は、ＴＰＵユニット１２０と原稿台ガラス２１２との間に設けられ、
たとえば、ＴＰＵハウジング２３０の本体ハウジング２１０側に対して着脱自在に設けら
れる。一方、スキャナ装置１００が透過型原稿を読み取る際には、保護マット２３２は取
り外される。この場合、透過用光源部から照射された光は透過型原稿を透過し、撮像素子
２１７の受光面に像を結ぶ。
【００４１】
保護マット２３２には、遮断部材２３２ａが設けられている（図８参照）。遮断部材２
３２ａは、後述する連結機構による撮像素子移動機構２２３と光源移動機構との連結を遮
断する。また、遮断部材２３２ａは、当該連結機構のうち、ＴＰＵハウジング２３０から
突出している部分をＴＰＵハウジング２３０内に押し込む形状である。これによって、た
とえば、大きな原稿を読み取る場合など、反射型原稿が連結機構部分にかかるような場合
でも、当該連結機構の突出している部分によって原稿を傷めることがない。
【００４２】
なお、ここでは保護マット２３２はスキャナ装置１００から取り外されるように構成さ
れている場合について説明したが、スキャナ装置１００から取り外すことなく、ＴＰＵユ
ニット１２０と原稿台ガラス２１２との間から取り除くことができるように構成しても良
い。たとえば、保護マット２３２の一端にスキャナ装置１００との連結部を設けて、保護
マット２３２をスキャナ装置１００から取り外すことなく、ＴＰＵユニット１２０と原稿
台ガラス２１２との間から保護マット２３２を取り除くことができるようにしてもよい。
【００４３】
図３は、スキャナ装置１００を一部断面して示す斜視図である。図３においては、ＴＰ
Ｕハウジング２３０および本体ハウジング２１０の一部を断面した状態が示されている。
図３中符号３００は、本体ユニット１１０とＴＰＵユニット１２０とを連結するヒンジ部
である。以下に、図３を用いて、モータ２２２の駆動力が伝達される各部について説明す
る。
【００４４】
図３に示すように、本体ハウジング２１０に設けられた撮影素子移動機構２２３は、モ
ータ２２２の駆動軸に固定されたギア３０１、ギア３０１に連結されたギア列３０２〜３
０６によって構成されている。ギア３０６の回転軸心となる軸には、上述した駆動ベルト
２２５が架けられたギアが設けられている。
【００４５】
撮像素子移動機構２２３は、モータ２２２によって発生した駆動力を、ギア３０１〜３
０６を介して駆動ベルト２２５に伝達することで、駆動ベルト２２５を回転させる。これ
によって、駆動ベルト２２５に連結されたスキャナキャリッジ２２０を、副走査方向に沿
って移動させることができる。
【００４６】
また、ギア３０６の回転軸心となる軸には、当該軸を回転軸心とするプーリ３０７が設
けられている。プーリ３０７には、プーリ３０７の回転にともなって回転する複数のプー
リ群３０８を介して、連結機構３０９を構成するギア３１０が連結されている。ギア３１
０は、本体ハウジング２１０の上面においてＴＰＵユニット１２０側に向けて開口する開
口部３１１、３１２を介してＴＰＵユニット１２０側に設けられたギア３１３と噛み合う
ことによって、連結機構３０９を構成する。
【００４７】
ＴＰＵハウジング２３０には、上述した駆動ベルト２３３が架けられたギア対における
一方のギア３１４とギア３１３とを連結するプーリ群３１５が設けられている。ギア対に
おける他方のギア３１６は、駆動ベルト２３３の回転に従動して回転する。ギア３１４と
ギア３１６とは、副走査方向に沿って対向配置されている。ここに、駆動ベルト２３３、
ギア対を構成するギア３１４、３１６、およびプーリ群３１５によって光源移動機構３２
３が構成されている。
【００４８】
図３中符号３１７は、ギア３１３、プーリ群３１５を構成するプーリ、ギア３１４など
の軸を支持するステイである。ギア３１３は、ステイ３１７に支持された軸３１３ａに対
して摺動自在に設けられている。これによって、ギア３１３は、ギア３１０と分離可能に
噛み合うことができる。また、ギア３１３は、ステイ３１７によって軸３１３ａからステ
イ３１７側に抜けない。一方、ギア３１３は、本体ユニット１１０とＴＰＵユニット１２
０とが離れている場合に図示しない抜け止め機構によって軸３１３ａからギア３１０側に
抜けないように構成されている。
【００４９】
また、ギア３１３は、本体ユニット１１０に対してＴＰＵユニット１２０が降下されて
いる場合には、重力によってギア３１０まで落下し、ギア３１０と噛み合う。これによっ
て、本体ユニット１１０に対してＴＰＵユニット１２０が降下され、後述する遮断部材２
３２ａがギア３１０とギア３１３との間にない場合には、ギア３１３はギア３１０と常に
噛み合った状態となる。ここで、図示しないが、ギア３１３とステイ３１７との間にバネ
設けることによってギア３１３をギア３１０の方向に付勢してもよい。これによって、よ
り確実にギア３１０とギア３１３とを噛み合わせることが可能となる。
【００５０】
図３中符号３１８は、上述した透過用光源部を示している。透過用光源部３１８は、透
過用光源部３１８に設けられた固定部３１９において、駆動ベルト２３３に連結されてい
る。これにより、透過用光源部３１８は、駆動ベルト２３３の回転にともなって副走査方
向に沿って移動する。
【００５１】
ＴＰＵハウジング２３０には、駆動ベルト２３３の側方であって、かつ、透過用光源部
３１８の移動軌跡に重複する位置において、副走査方向に沿って延出するガイドレール３
２０が設けられている。ガイドレール３２０には、透過用光源部３１８においてガイドレ
ール３２０に対向する位置に設けられた溝３２１が嵌め込まれる。これによって、透過用
光源部３１８を副走査方向に沿って安定して移動させることができる。
【００５２】
透過用光源部３１８から照射された光は、ＴＰＵハウジング２３０に設けられた開口部
３２２を介して、原稿台ガラス２１２側に導かれる。開口部３２２は、透過用光源部３１
８のうち、フィルムの読み取り範囲をカバーするように設けられている。
【００５３】
図４は、透過用光源部３１８を示す分解斜視図である。つぎに、透過用光源部３１８の
構成について説明する。図４に示すように、透過用光源部３１８は、ＬＥＤ４０１と、Ｌ
ＥＤ４０１によって発光された光を伝播させる導光板４０２と、を備えている。導光板４
０２によって、ＬＥＤ１個あたりの照射面積よりも広い面積を照射することができる。な
お、図４中、導光板４０２に表記された仮想線は、導光板４０２における有効発光エリア
を示している。
【００５４】
導光板４０２中を伝播された光は、プリズムシート４０３および拡散シート４０４を介
して、支持フレーム４０５に設けられた開口部４０６から、原稿台ガラス２１２に向けて
照射される。プリズムシート４０３および拡散シート４０４を介することにより、導光板
４０２中を伝播された光をより広い面積に照射することができる。
【００５５】
透過用光源部３１８において、導光板４０２を間にして開口部４０６とは反対側には、
導光板４０２中を伝播された光を開口部４０６へ向けて反射させる反射板４０７が設けら
れている。反射板４０７を設けることによって、導光板４０２中を伝播された光を、効率
よく原稿台ガラス２１２側へ照射することができる。
【００５６】
上述した固定部３１９は、支持フレーム４０５の側方に設けられており、原稿台ガラス
２１２側から駆動ベルト２３３を挟持するように、上方に向けて開口している。なお、透
過用光源部３１８は、ＬＥＤ４０１ではなく蛍光灯を用いても構成することができるが、
ＬＥＤ４０１を用いることでより迅速な点灯が可能となり、スキャナ装置１００の読み取
り操作を迅速におこなうことができる。
【００５７】
図５は連結機構３０９を拡大して示す斜視図（その１）、図６は連結機構３０９を拡大
して示す斜視図（その２）である。図５は、ギア３１０とギア３１３とが噛み合っている
状態を示している。図６は、ギア３１０とギア３１３とが離れた状態を示している。なお
、図６において、ギア３１３は本来、重力によって（ギア３１３とステイ３１７との間に
バネを設けた場合はバネの付勢力によって）ギア３１０と接触してギア３１０と噛み合う
が、ここでは説明の便宜上、ギア３１０とギア３１３とが離れていた状態を示している。
【００５８】
図５および図６から分かるように、連結機構３０９におけるギア３１３には、本体ユニ
ット１１０に向けて突出するギア歯５０１が設けられている。一方、連結機構３０９にお
けるギア３１０には、ギア歯５０１が噛み合わされる凹部６０１が形成されている。凹部
６０１の間に位置し、凹部６０１を形成するリブ６０２の上部は、中央部程ギア３１３側
へ突出する山形形状とされている。これによって、ギア３１０とギア３１３とがスムーズ
に噛み合うように、ギア歯５０１を凹部６０１に誘導することができる。
【００５９】
図７は、保護マット２３２取り外し時のスキャナ装置１００の外観を示す斜視図である
。図８は、保護マット２３２取り付け時のスキャナ装置１００の外観を示す斜視図である
。図７から分かるように、保護マット２３２がＴＰＵハウジング２３０から取り外されて
いる場合には、連結機構３０９（図３参照）を構成するギア３１３がＴＰＵハウジング２
３０から露出する。この状態でＴＰＵユニット１２０を本体ユニット１１０に降下させた
場合、ギア３１０とギア３１３とが噛み合い、モータ２２２の駆動力が透過用光源部３１
８（図３参照）に伝達される（図９参照）。
【００６０】
一方、図８から分かるように、保護マット２３２がＴＰＵハウジング２３０に取り付け
られている場合には、ギア３１３が保護マット２３２に設けられた遮断部材２３２ａによ
って覆い隠される。この状態でＴＰＵユニット１２０を本体ユニット１１０に降下させた
場合、ギア３１０とギア３１３とは噛み合わず、モータ２２２を駆動させても駆動力が透
過用光源部３１８に伝達されない（図１０参照）。
【００６１】
図９は、保護マット２３２取り外し時のスキャナ装置１００を拡大して示す縦断正面図
であり、図１０は、保護マット２３２取り付け時のスキャナ装置１００を拡大して示す縦
断正面図である。図９および図１０は、ＴＰＵユニット１２０を本体ユニット１１０に降
下させた状態を示している。図９および図１０から分かるように、ＴＰＵユニット１２０
を本体ユニット１１０に降下させた場合、連結機構３０９を構成するギア３１０とギア３
１３とは、保護マット２３２がＴＰＵハウジング２３０から取り外されている場合には噛
み合うが、保護マット２３２がＴＰＵハウジング２３０に取り付けられている場合には保
護マット２３２に設けられた遮断部材２３２ａによって遮断されて噛み合わない。
【００６２】
図示を省略するが、スキャナ装置１００は、上述した構成に加えて、利用者による各種
指示操作を受け付ける操作パネルや、スキャナ装置１００における各部を駆動制御する各
種制御回路や、操作パネルによって受け付けた指示操作に応じて各種制御回路を制御する
制御系などを備えている。操作パネルでは、反射型原稿を読み取る指示操作や、透過型原
稿を読み取る指示操作などを受け付ける。
【００６３】
加えて、図示を省略するが、スキャナ装置１００は、パーソナルコンピュータなどの外
部装置との間で通信をおこなう通信Ｉ／Ｆを備えていてもよい。この場合、スキャナ装置
１００は、パーソナルコンピュータにおいて受け付けた指示操作に応じた指示情報を、通
信Ｉ／Ｆを介して受信する。
【００６４】
スキャナ装置１００は、操作パネルを介して受け付けた指示操作や、通信Ｉ／Ｆを介し
て受信した指示情報に応じて、スキャナキャリッジ２２０を移動させたり、反射用光源２
１５や透過用光源部３１８を点灯／消灯させたり、撮像素子２１７に結像された光を光電
変換することによって画像データを生成したりする。
【００６５】
スキャナ装置１００は、生成された画像データを、任意の記憶媒体に記憶するようにし
てもよいし、通信Ｉ／Ｆを介してパーソナルコンピュータなどの外部装置に送信するよう
にしてもよい。
【００６６】
このような構成を備えたスキャナ装置１００によって透過型原稿を読み取る場合、利用
者は、原稿台ガラス２１２上にフィルムフォルダ２４０を設置し、フィルムフォルダ２４
０によって案内される所定の位置に透過型原稿を設置する。また、利用者は、透過型原稿
の設置に前後して、ＴＰＵハウジング２３０から保護マット２３２を取り外す。
【００６７】
つづいて、図１あるいは図２に示したように、ＴＰＵユニット１２０を本体ユニット１
１０に対向させる。これにより、連結機構３０９におけるギア３１０とギア３１３とが噛
み合わされ、撮像素子移動機構２２３と光源移動機構３２３とが連結される。
【００６８】
その後、利用者は、透過型原稿の画像を読み取る指示操作をおこなう。指示操作は、ス
キャナ装置１００が備える操作パネルを介しておこなってもよいし、パーソナルコンピュ
ータなどの外部装置によっておこなってもよい。
【００６９】
透過型原稿の画像を読み取る指示操作があった場合、スキャナ装置１００は、モータ２
２２を駆動させ、スキャナキャリッジ２２０および透過用光源部３１８を副走査方向に沿
って移動させながら、撮像素子２１７の受光量を検出する。そして、検出された受光量に
基づいて画像データを生成する。
【００７０】
なお、画像データの生成に先立って、画像データにおける黒色や白色の基準となる各種
基準データを取得し、取得された基準データを用いて画像データのシェーディング補正を
おこなってもよい。基準データの取得および取得された基準データを用いたシェーディン
グ補正については、公知の技術であるため、ここでは説明を省略する。
【００７１】
上述したように、実施の形態１のスキャナ装置１００によれば、スキャナ装置１００の
小型化を図りつつ、利用者による特別な操作なしにモータ２２２の消費電力を必要最小限
にすることができる。すなわち、光源移動機構３２３と撮像素子移動機構２２３との駆動
源を単一のモータ２２２によって実現することで、光源移動機構３２３と撮像素子移動機
構２２３とにそれぞれ独立したモータを設ける場合と比べてスキャナ装置１００の小型化
を図ることができる。
【００７２】
さらに、反射型原稿を読み取るために保護マット２３２が取り付けられた場合にのみ光
源移動機構３２３に伝わる駆動力が遮断されるため、モータ２２２の消費電力を必要最小
限にすることができる。また、保護マット２３２の取り付けは、反射型原稿を読み取るた
めには利用者が必ずおこなわなければならない操作である。このため、利用者は光源移動
機構３２３と撮像素子移動機構２２３との連結を遮断するための特別な操作をおこなうこ
となく当該連結を遮断することができるため、利用者の利便性を損なうことなくモータ２
２２の消費電力を必要最小限にすることができる。
【００７３】
また、透過型原稿を読み取るために保護マット２３２が取り外された場合にのみ光源移
動機構３２３に駆動力が伝わるため、モータ２２２にかかる負荷も必要最小限にすること
ができる。このため、反射型原稿を読み取る際にも光源移動機構３２３に駆動力が伝わる
場合と比べて、スキャナ装置１００の耐久性を高めることができる。
【００７４】
（実施の形態２）
つぎに添付図面を参照して、この発明にかかる画像読取装置の好適な実施の形態２を詳
細に説明する。この実施の形態２は、この発明にかかる画像読取装置を実現するスキャナ
装置１００への適用例を示す。実施の形態２においては、上述した実施の形態１と同一部
分は同一符号で示し、説明も省略する。
【００７５】
図１１は、実施の形態２にかかるスキャナ装置１００を一部断面して示す斜視図である
。図１１においては、ＴＰＵハウジング２３０および本体ハウジング２１０の一部を断面
した状態が示されている。以下に、図１１を用いて、モータ２２２の駆動力が伝達される
各部について説明する。
【００７６】
図１１に示すように、プーリ３０７には、複数のプーリ群３０８を介して、連結機構３
０９の一部を構成する磁性体１１１０が連結されている。磁性体１１１０は、プーリ群３
０８を介してモータ２２２の駆動力が伝達されることによって、プーリ群３０８の軸心方
向と平行な軸心回りに回転する。
【００７７】
磁性体１１１０は、本体ハウジング２１０の上面においてＴＰＵユニット１２０側に向
けて開口する開口部３１１、３１２を介して、ＴＰＵユニット１２０側に設けられた磁性
体１１１３に対向配置されている。ここに、プーリ３０７、プーリ群３０８、磁性体１１
１０、開口部３１１、３１２および磁性体１１１３によって連結機構１１０９が構成され
ている。磁性体１１１３は、軸３１３ａに対して摺動自在に設けられており、磁性体１１
１０の軸心と平行な軸心回りに回転自在である。
【００７８】
これによって、本体ユニット１１０に対してＴＰＵユニット１２０が降下され、遮断部
材２３２ａが磁性体１１１０と磁性体１１１３との間にない場合には、磁性体１１１３は
磁性体１１１０と常に接触した状態となる。
【００７９】
なお、磁性体１１１３は、ステイ３１７によって、軸３１３ａからステイ３１７側へ抜
けない。一方、磁性体１１１３は、本体ユニット１１０とＴＰＵユニット１２０とが離れ
ている場合に図示しない抜け止め機構によって軸３１３ａから磁性体１１１０側へ抜けな
いように構成されている。
【００８０】
連結機構１１０９を構成する磁性体１１１０および磁性体１１１３は、互いを引きつけ
る磁力をともに有していてもよいし、少なくともいずれか一方が他方を引きつける磁力を
有していてもよい。磁性体１１１０または１１１３の一方が磁力を有している場合、他方
は、たとえば、鉄などのように、磁力によって引きつけられる性質を有している材料によ
って形成する。
【００８１】
連結機構１１０９は、撮像素子移動機構２２３から伝達されたトルクが所定より大きい
場合に、磁性体１１１０と磁性体１１１３との間で滑りを生じさせ、所定の大きさ以上の
トルクをプーリ群３１５に伝達しないトルクリミッタ機能を有している。ここで、所定の
大きさのトルクとは、透過用光源部３１８を移動させるために必要なトルクである。
【００８２】
連結機構１１０９におけるトルクリミッタ機能によって、所定の大きさ以上のトルクが
伝達された場合にも、透過用光源部３１８、プーリ群３１５、あるいは駆動ベルト２３３
が架けられたギア対など、透過用光源部３１８の移動に関わる各部の破損を防止すること
ができる。
【００８３】
図１２は連結機構を拡大して示す斜視図（その１）、図１３は連結機構を拡大して示す
斜視図（その２）である。図１２は、磁性体１１１０と磁性体１１１３とが磁力によって
連結された状態を示している。図１３は、磁性体１１１０と磁性体１１１３とが離れた状
態を示している。なお、図１３において、磁性体１１１３は本来、磁力によって磁性体１
１１０に引きつけられて磁性体１１１０と接触するが、ここでは説明の便宜上、磁性体１
１１０と磁性体１１１３とが離れていた状態を示している。
【００８４】
図１２および図１３から分かるように、連結機構１１０９における磁性体１１１３は、
ステイ３１７から離れている場合に磁性体１１１０に連結され、ステイ３１７近傍に位置
している場合に磁性体１１１０が離れる。磁性体１１１０、１１１３において、互いに対
向する面は、平面とされている（符号１３０１参照）。これによって、引力を作用させる
面を広く確保し、磁性体１１１０と磁性体１１１３とを確実に連結させることができる。
【００８５】
図１４は、保護マット２３２取り外し時のスキャナ装置１００を拡大して示す縦断正面
図である。図１５は、保護マット取り付け時のスキャナ装置１００を拡大して示す縦断正
面図である。図１４および図１５は、ＴＰＵユニット１２０を本体ユニット１１０に降下
させた状態を示している。図１２から分かるように、保護マット２３２がＴＰＵハウジン
グ２３０から取り外されている場合には、連結機構３０９を構成するギア３１３がＴＰＵ
ハウジング２３０から露出する。この状態でＴＰＵユニット１２０を本体ユニット１１０
に降下させると、磁性体１１１０と磁性体１１１３とが連結し、モータ２２２の駆動力が
光源移動機構３２３に伝達される。
【００８６】
一方、図１５から分かるように、保護マット２３２がＴＰＵハウジング２３０に取り付
けられている場合には、連結機構３０９を構成する磁性体１１１３がＴＰＵハウジング２
３０によって覆い隠される。この状態でＴＰＵユニット１２０を本体ユニット１１０に降
下させると、磁性体１１１０と磁性体１１１３とが連結せず、モータ２２２の駆動力が光
源移動機構３２３に伝達されない。
【００８７】
上述したように、実施の形態２のスキャナ装置１００によれば、実施の形態１と同様に
、スキャナ装置１００の小型化を図りつつ、利用者による特別な操作なしにモータ２２２
の消費電力を必要最小限にすることができる。すなわち、光源移動機構３２３と撮像素子
移動機構２２３との駆動源を単一のモータ２２２によって実現することで、光源移動機構
３２３と撮像素子移動機構２２３とにそれぞれ独立したモータを設ける場合と比べてスキ
ャナ装置１００の小型化を図ることができる。
【００８８】
さらに、透過型原稿を読み取るために保護マット２３２が取り外された場合にのみ光源
移動機構３２３に駆動力が伝わるため、モータ２２２の消費電力を必要最小限にすること
ができる。また、保護マット２３２の取り外しは、透過型原稿を読み取るためには利用者
が必ずおこなわなければならない操作である。このため、利用者は光源移動機構３２３と
撮像素子移動機構２２３との連結を遮断するための特別な操作をおこなう必要がないため
、利用者の利便性を損なうことなくモータ２２２の消費電力を必要最小限にすることがで
きる。
【００８９】
また、透過型原稿を読み取るために保護マット２３２が取り外された場合にのみ光源移
動機構３２３に駆動力が伝わるため、モータ２２２にかかる負荷も必要最小限にすること
ができる。このため、反射型原稿を読み取る際にも光源移動機構３２３に駆動力が伝わる
場合と比べて、スキャナ装置１００におけるモータ２２２の耐久性を高めることができる
。
【００９０】
さらに、連結機構１１０９におけるトルクリミッタ機能によって、所定の大きさ以上の
トルクが伝達された場合にも、透過用光源部３１８、プーリ群３１５、あるいは駆動ベル
ト２３３が架けられたギア対など、透過用光源部３１８の移動に関わる各部の破損を防止
することができる。このため、スキャナ装置１００における透過用光源部３１８の移動に
かかわる各部の耐久性を高めることができる。
【００９１】
（実施の形態３）
つぎに添付図面を参照して、この発明にかかる複合機の好適な実施の形態３を詳細に説
明する。この実施の形態３は、この発明にかかる画像読取装置および画像形成装置を実現
する複合機への適用例を示す。実施の形態３においては、上述した実施の形態１、２と同
一部分は同一符号で示し、説明も省略する。
【００９２】
図１６は、実施の形態３にかかる複合機の外観を示す斜視図である。実施の形態３にか
かる複合機１６００は、上述した実施の形態１、２で説明したスキャナ装置１００と、ス
キャナ装置１００が備える撮像素子２１７に入射された光の強弱に応じた画像を被記録媒
体上に形成する画像形成装置としてのプリンタ１６０１と、を備えている。
【００９３】
スキャナ装置１００とプリンタ１６０１とは、図示しない通信Ｉ／Ｆを介して相互通信
可能に接続している。スキャナ装置１００は、撮像素子２１７に入射された光の強弱に応
じた画像データをプリンタ１６０１へ出力する。
【００９４】
プリンタ１６０１は、紙などの被記録媒体に画像を形成するプリンタエンジンを備えて
いる。公知の技術であるため図示および説明を省略するが、プリンタエンジンにおける画
像形成方式は、たとえば、インクジェット方式、静電転写方式、昇華転写方式など、各種
の方式を適用することができる。
【００９５】
このような構成を備える複合機１６００において、プリンタ１６０１は、スキャナ装置
１００から出力された画像データに基づいて、紙などの被記録媒体に画像を形成する。
【００９６】
このような複合機１６００によれば、原稿の種類にかかわらず、原稿の画像を高精度に
再現した画像データに基づく画像を、紙などの被記録媒体に形成することができる。また
、これによって、利用者は、原稿の種類にかかわらず、原稿の画像を高精度に再現した画
像データに基づく画像が形成された被記録媒体を得ることができる。
【図面の簡単な説明】
【００９７】
【図１】実施の形態１にかかるスキャナ装置の外観を示す斜視図。
【図２】実施の形態１にかかるスキャナ装置の縦断正面図。
【図３】スキャナ装置を一部断面して示す斜視図。
【図４】透過用光源部を示す分解斜視図。
【図５】連結機構を拡大して示す斜視図（その１）。
【図６】連結機構を拡大して示す斜視図（その２）。
【図７】保護マット取り外し時のスキャナ装置の外観を示す斜視図。
【図８】保護マット取り付け時のスキャナ装置の外観を示す斜視図。
【図９】保護マット取り外し時のスキャナ装置を拡大して示す縦断正面図。
【図１０】保護マット取り付け時のスキャナ装置を拡大して示す縦断正面図。
【図１１】実施の形態２にかかるスキャナ装置を一部断面して示す斜視図。
【図１２】連結機構を拡大して示す斜視図（その１）。
【図１３】連結機構を拡大して示す斜視図（その２）。
【図１４】保護マット取り外し時のスキャナ装置を拡大して示す縦断正面図。
【図１５】保護マット取り付け時のスキャナ装置を拡大して示す縦断正面図。
【図１６】実施の形態３にかかる複合機の外観を示す斜視図。
【符号の説明】
【００９８】
２１２  原稿台ガラス、１２０  ＴＰＵユニット、３１８  透過用光源部、２１７  撮
像素子、１００  スキャナ装置、２２３  撮像素子移動機構、３２３  光源移動機構、２
２２  モータ、３０９  連結機構、３００  ヒンジ部、１６００  複合機、１６０１  プ
リンタ
【図１】
2007318410.tif 000003
【図２】
2007318410.tif 000004
【図３】
2007318410.tif 000005
【図４】
2007318410.tif 000006
【図５】
2007318410.tif 000007
【図６】
2007318410.tif 000008
【図７】
2007318410.tif 000009
【図８】
2007318410.tif 000010
【図９】
2007318410.tif 000011
【図１０】
2007318410.tif 000012
【図１１】
2007318410.tif 000013
【図１２】
2007318410.tif 000014
【図１３】
2007318410.tif 000015
【図１４】
2007318410.tif 000016
【図１５】
2007318410.tif 000017
【図１６】
2007318410.tif 000018